(57)【要約】【課題】適度な硬さによって、ガラスなどの食器への傷つきがなく、汚れた面を軽い力で洗うことができるクリーナーを提供することを目的とする。【解決手段】  多数の編目１０によって０．１〜３．５ｍｍ四方の多数の開口部分Ａｐが形成された編地Ａと、多数の編目２０を有する編地Ｂと、互いに重なり合う編地Ａ及び編地Ｂを連結する連結糸Ｃとを有する単数または複数の多重編地Ｄを備え、編地Ａは、繊維被覆面積と開口部分との面積比が、１：０．１〜１．５であり、単数または複数の多重編地Ｄは、編地Ａの端部と編地Ｂの端部とが固着一体化されており、多重編地Ｄは、自然状態における厚さの４０％まで圧縮したときの圧縮圧が４００Ｎ以上となるクリーナー１とした。このクリーナー１によれば、適度な硬さによって、ガラスなどの食器への傷つきがなく、汚れた面を軽い力で洗うことができる。【選択図】図１
2009249794.tif 000002
【特許請求の範囲】
【請求項１】
多数の編目によって０．１〜３．５ｍｍ四方の多数の開口部分が形成された第１の編地と、多数の編目を有する第２の編地と、互いに重なり合う前記第１の編地及び前記第２の編地を連結する連結糸とを有する単数または複数の多重編地を備え、
前記第１の編地は、繊維被覆面積と前記開口部分との面積比が、１：０．１〜１．５であり、
単数または複数の前記多重編地は、前記第１の編地の端部と前記第２の編地の端部とが固着一体化されており、
自然状態における厚さの４０％まで圧縮したときの圧縮圧が４００Ｎ以上であることを特徴とするクリーナー。
【請求項２】
複数の前記多重編地を備え、
前記第１の編地が表層に配置されるように、複数の前記多重編地を折り畳み、もしくは積層した複数層が形成されていることを特徴とする請求項１記載のクリーナー。
【請求項３】
単数の前記多重編地を備え、
前記多重編地によって単層が形成されていることを特徴とする請求項１記載のクリーナー。
【請求項４】
前記第１の編地の面方向に垂直な方向に向けて、前記第１の編地と前記第２の編地との間を見たときに、前記連結糸が交差するクロス点が形成されていることを特徴とする請求項１〜３のいずれか一項記載のクリーナー。
【請求項５】
前記クロス点を形成する前記連結糸は、前記第１の編地側の第１の編目と前記第２の編地側の第２の編目とを連結し、
前記第２の編目は、前記第１の編地の面方向において、前記第１の編目に相対する前記第２の編地側の基準編目に対してウエール方向またはコース方向に二つから五つ離れた編目であることを特徴とする請求項４記載のクリーナー。
【請求項６】
前記クロス点を形成する前記連結糸は、前記第１の編地側の第１の編目と前記第２の編地側の第２の編目とを連結し、
前記第１の編地の面方向において、前記第１の編目に相対する前記第２の編地側の基準編目と前記第１の編目とを結ぶ仮想の基準線を規定したときに、前記基準線と前記連結糸との挟角は３０°〜６０°になることを特徴とする請求項４記載のクリーナー。
【請求項７】
前記連結糸によって、５コースの間に少なくとも一つの前記クロス点が形成されていることを特徴とする請求項４〜６のいずれか一項記載のクリーナー。
【請求項８】
前記連結糸は、５０〜５００デシテックスの繊度のポリエチレンテレフタレート繊維もしくはポリエチレンテレフタレートを主成分とした繊維で構成されていることを特徴とする請求項１〜７のいずれか一項記載のクリーナー。
【請求項９】
前記連結糸は、５０〜５００デシテックスの繊度のポリアミド繊維もしくはポリアミドを主成分とした繊維で構成されていることを特徴とする請求項１〜７のいずれか一項記載のクリーナー。
【請求項１０】
前記多重編地は、縫製もしくは融着により前記第１の編地の端部と前記第２の編地の端部とが固着一体化されていることを特徴とする請求項１〜９のいずれか一項記載のクリーナー。
【請求項１１】
４〜７０ｍｍの厚みを有することを特徴とする請求項１〜１０のいずれか一項記載のクリーナー。
【発明の詳細な説明】
【技術分野】
【０００１】
本発明は、食器用、浴室用及び身体洗浄用等に適したクリーナーに関するものである。
【背景技術】
【０００２】
従来、クリーナーはポリウレタンフォーム単体や、ポリウレタンフォームと嵩高い不織布を貼り合せ、持ちやすい大きさに打ち抜いたり、裁断したりしたものが使用されている。しかしながら、この種のクリーナーでは、ポリウレタンフォーム単体に汚れ落とし性能がなく、ポリウレタンフォームの部分を押し込んで洗うことになるため、力を必要とした。また、嵩高い不織布部分が、コップやグラスなど食器を傷つけるといった問題点があり、嵩高い不織布が使用途中で剥離したり、毛羽立ちが発生したりして耐久性がないといった問題があった。
【０００３】
そこで、コップやグラスなど狭くラウンドした食器を洗いやすくするために、嵩高い不織布との貼り合せをせず、ポリウレタンフォーム単体を布地で被覆したクリーナーが開発された。しかしながら、いずれの場合においても、水を含み易い柔らかなポリウレタンフォームが使われているため、こびりついた汚れを落とすときは強い力を必要とした。また、洗浄後の水切れ、水はけが悪く、しばらく放置すると雑菌が繁殖しやすい状態になり、クリーナーに付着した油汚れが落ちにくくなったりするなどの衛生面の問題や、使用しているうちにポリウレタンフォーム単体が歪んで変形するといった耐久性が悪いといった問題があった。
【０００４】
そこで、ポリウレタンフォームを使用せず、例えば、表裏二層のメッシュ状編地を積層したたわしによって水切れ性及び耐空性を向上させたクリーナー（特許文献１参照）が知られている。しかしながら、この種のクリーナーでは、メッシュの開口部分が４ｍｍと大きく、ゴミが付着したり、内部に入り込んだりして衛生的で無いという問題があった。
【０００５】
一方で、特許文献２または特許文献３には、表裏の地組織が連結糸で連結された編地を縫製や接着しない状態で使う事によって、水切れ性や耐久性を向上させた布または洗浄具が記載されている。
【特許文献１】実開平４−２１３５９号公報
【特許文献２】特開平５−１４８７３６号公報
【特許文献３】特開２００２−６１０５６号公報
【発明の開示】
【発明が解決しようとする課題】
【０００６】
しかしながら、特許文献２または３に記載の布または洗浄具では、布地の端部（周辺部、周囲）に加工処理が施されておらず、洗浄の際に、端部から突き出した連結糸が邪魔になって使い難かった。また、編地を連結している連結糸の強度が弱く、柔らか過ぎる為、洗う時にこの布や洗浄具を洗う面に手で押し付けて洗うことになり、使い勝手が悪くなる可能性があった。さらに、開口部分を大きくして水切れ性を向上させているので、その開口部分から布地の中にゴミが入り、連結糸の部分に細かいゴミが付着して不衛生な状態になり易く、さらに、泡持ち、泡立ちが悪いといったこともあり、このままではクリーナーとして使用できないという問題があった。
【０００７】
本発明は、以上の課題を解決することを目的としており、適度な硬さによって、ガラスなどの食器への傷つきがなく、汚れた面を軽い力で洗うことができるクリーナーを提供することを目的とする。
【課題を解決するための手段】
【０００８】
本発明者は、上記した従来技術における課題を解決するため、鋭意研究に取り組んだ結果、本発明の目的を達成するクリーナーを発明するに至った。
【０００９】
すなわち、本発明に係るクリーナーは、多数の編目によって０．１〜３．５ｍｍ四方の多数の開口部分が形成された第１の編地と、多数の編目を有する第２の編地と、互いに重なり合う第１の編地及び第２の編地を連結する連結糸とを有する単数または複数の多重編地を備え、第１の編地は、繊維被覆面積と開口部分との面積比が、１：０．１〜１．５であり、単数または複数の多重編地は、第１の編地の端部と第２の編地の端部とが固着一体化されており、自然状態における厚さの４０％まで圧縮したときの圧縮圧が４００Ｎ以上であることを特徴とする。
【００１０】
本発明によれば、第１の編地と第２の編地とを連結糸で連結した単数または複数の多重編地を備えているため、第１の編地と第２の編地とを連結する連結糸によって、クリーナーの硬さをコントロールすることができ、ガラス性の食器などへの傷付きがなく、汚れた面を軽く洗えることができる。また、第１の編地と第２の編地との間には連結糸で連結する領域分の空隙が存在している。この空隙によって、クリーナーに必要な機能である泡立ちを生じさせることができる。さらに、この空隙を介して第１の編地と第２の編地とがつながっているため、水切れ、水はけが良く、衛生的な使用を可能にする。また、連結糸があることによって、適度な硬さを得ることもできる。さらに、クリーナーは、多重編地の第１の編地の端部と第２の編地の端部とが固着一体化されてなるため、厚みや硬さをコントロールし易くなり、使い勝手が向上し、長期の使用においても変形を起こし難く、耐久性が高くなる。さらに、多重編地の第１の編地の端部と第２の編地の端部とが固着一体化されているので、連結糸が、第１の編地及び第２の編地の端部から突き出して作業の邪魔になることを防ぎ、利便性を向上できる。この連結糸は、繊維素材を選択し、連結の間隔や連結の仕方を変えることによって、厚み、水切れ性能、硬さ等をコントロールすることが可能になる。また、第１の編地と第２の編地との編地部分は、繊維素材を選択したり、柄を変えることによって、被洗浄物に応じた剛軟性などをコントロールすることができ、汚れの除去性能を高めたりすることが可能である。
【００１１】
特に、本発明では、自然状態における厚さの４０％まで圧縮したときの圧縮圧が４００Ｎ以上であるため、適度な硬さによって、ガラスなどの食器への傷つきがなく、汚れた面を軽い力で洗うことができる。
【００１２】
さらに、複数の多重編地を備え、第１の編地が表層に配置されるように、複数の多重編地を折り畳み、もしくは積層した複数層が形成されていると、厚みやクッション性をコントロールし易くなり、使い勝手が向上し、長期の使用においても変形を起こし難く、耐久性が高くなる。
【００１３】
さらに、単数の多重編地を備え、多重編地によって単層が形成されていると、複数層が形成されている場合に比べて薄くなり、作業者にとって扱い易くなる。
【００１４】
さらに、第１の編地の面方向に垂直な方向に向けて、第１の編地と第２の編地との間を見たときに、連結糸が交差するクロス点が形成されていると好適である。
【００１５】
さらに、クロス点を形成する連結糸は、第１の編地側の第１の編目と第２の編地側の第２の編目とを連結し、第２の編目は、第１の編地の面方向において、第１の編目に相対する第２の編地側の基準編目に対してウエール方向またはコース方向に二つから五つ離れた編目であると好適である。
【００１６】
さらに、クロス点を形成する連結糸は、第１の編地側の第１の編目と第２の編地側の第２の編目とを連結し、第１の編地の面方向において、第１の編目に相対する第２の編地側の基準編目と第１の編目とを結ぶ仮想の基準線を規定したときに、基準線と連結糸との挟角は３０°〜６０°になると好適である。
【００１７】
さらに、連結糸によって、５コースの間に少なくとも一つのクロス点が形成されていると好適である。
【００１８】
さらに、連結糸は、５０〜５００デシテックスの繊度のポリエチレンテレフタレート繊維もしくはポリエチレンテレフタレートを主成分とした繊維で構成されていると好適である。
【００１９】
さらに、連結糸は、５０〜５００デシテックスの繊度のポリアミド繊維もしくはポリアミドを主成分とした繊維で構成されていると好適である。
【００２０】
さらに、多重編地は、縫製もしくは融着により第１の編地の端部と第２の編地の端部とが固着一体化されていると好適である。
【００２１】
さらに、４〜７０ｍｍの厚みを有すると好適である。
【発明の効果】
【００２２】
本発明によれば、適度な硬さによって、ガラスなどの食器への傷つきがなく、汚れた面を軽い力で洗うことができる。
【発明を実施するための最良の形態】
【００２３】
以下、本発明の好適な実施形態について図面を参照しながら説明する。図１は、本発明の実施形態に係るクリーナーの一例を示す斜視図であり、図２は、図１のＩＩ−ＩＩ線に沿った断面図である。また、図３は、二重編地を模式的に示す斜視図であり、図４は、連結糸を拡大して示す斜視図である。
【００２４】
図１〜図３に示されるように、本実施形態に係るクリーナー１は、多数の編目１０によって多数の開口部分Ａｐ（図３参照）が形成された編地（第１の編地）Ａと、多数の編目２０を有する編地Ｂと、互いに重なり合う編地Ａ及び編地Ｂを連結する連結糸Ｃとからなる二重編地Ｄを備える。クリーナー１は、表層側に編地Ａが配置されるように二枚の二重編地Ｄ（図２参照）を積層して構成されている。二枚の二重編地Ｄは、それぞれ１種類（同種）の素材からなっていても、二種以上（異種）の素材からなっていてもよい。クリーナー１の端部１ａ、すなわち重なり合う二重編地Ｄの端部では、複数の編地Ａ及び編地Ｂの端部同士が固着一体化されている。
【００２５】
なお、本実施形態では、二枚の二重編地Ｄを積層させた態様を例示するが、三枚以上の複数の二重編地Ｄを積層した態様であってもよい。また、複数の二重編地Ｄを積層した後で折り畳んで纏め、纏めた状態での複数の編地Ａ及び編地Ｂの端部同士を固着一体化するようにしたものであってもよい。この場合、折り目の部分については既に塞がっているので、折り目以外の端部のみを固着一体化するようにすると良い。また、単体（一枚）の二重編地Ｄのみからなり、編地Ａ及び編地Ｂの全周縁である端部が固着一体化した態様であってもよい。また、本実施形態では、多重編地の一例として二重編地Ｄを説明するが、多重編地は二重に限定されるものではなく、適度な厚みやクッション性が得られる三重や四重の編地でもよい。
【００２６】
また、本発明に係る多重編地は、好ましくはダブルラッセル機等で編成することができるが、特に限定されるものではない。また、本発明に係る多重編地は、クッション性や弾力性の観点から好ましくは、特開平２−２２９２４７号公報、特開平２−７４６４８号公報に記載の、二重編地における少なくとも一部の隣りあうウエール列の２本の連結糸が、表裏の相対する編目から離れた隣のウエール列の編目を互いに逆方向に斜めに連結した構造をした二重編地や、連結糸が相対する編目から二つから五つ離れたウエール及びコースの編目を、ウエール又はコース方向の少なくとも１方向に相対する編目を連結する連結糸に対し３０〜６０度の角度で斜めに連結し、相対する編目を連結する連結糸に対し３０〜６０度の角度で斜めに連結した連結糸が、５コースの間に少なくとも１つのクロス点を有していることを特徴とする二重編地であってもよい。本実施形態では、クロス点を形成する態様を例に詳しく説明する。
【００２７】
図４に示されるように、例えば、複数の連結糸Ｃの中から、隣接する二本の連結糸Ｃ１，Ｃ２を抽出して考察する。一方の連結糸Ｃ１は、編地Ａ側の第１の編目１０ａと編地Ｂ側の第２の編目２０ａと、を連結している。編地Ｂ側の第２の編目２０ａは、編地Ａの面方向において、第１の編目１０ａに相対する編地Ｂ側の基準編目２０ｘに対してコース方向に二つ離れている。さらに、第１の編目１０ａと基準編目２０ｘとを結ぶ仮想の基準線Ｓａを規定したときに、この基準線Ｓａと連結糸Ｃ１との挟角は３０°〜６０°の範囲に含まれている。
【００２８】
また、他方の連結糸Ｃ２は、編地Ａ側の第３の編目１０ｂと編地Ｂ側の第４の編目２０ｂと、を連結している。編地Ｂ側の第４の編目２０ｂは、編地Ａの面方向において、第３の編目１０ｂに相対する編地Ｂ側の基準編目２０ｙに対して連結糸Ｃ１とは逆となるコース方向に二つ離れている。さらに、第３の編目１０ｂと基準編目２０ｙとを結ぶ仮想の基準線Ｓｂを規定したときに、この基準線Ｓｂと連結糸Ｃ２との挟角は３０°〜６０°の範囲に含まれている。
【００２９】
編地Ａの面方向に垂直な方向に向けて、編地Ａと編地Ｂとの間を見たときに、連結糸Ｃ１と連結糸Ｃ２とが交差して見える。この交差点がクロス点Ｘである。さらに、クリーナー１では、連結糸Ｃ１と連結糸Ｃ２とによって、５コースの間に少なくとも一つのクロス点Ｘが形成されており、クッション性を確保している。なお、本実施形態では、一方の連結糸Ｃ１の編地Ｂ側の第２の編目２０ａは、基準編目２０ｘに対してコース方向に二つ離れているが、ウエールまたはコース方向に二つから五つ離れていてもよい。また、他方の連結糸Ｃ２の編地Ｂ側の第４の編目２０ｂは、基準編目２０ｙに対してコース方向に二つ離れているが、ウエールまたはコース方向に二つから五つ離れていてもよい。
【００３０】
編地Ａの繊維素材は、特に限定されるものではなく、被洗浄物等に応じて選択することができる。そして、編地Ａの繊維素材は、ガラスなどの食器類の傷を無くすために、金属蒸着された繊維や研磨剤成分を１０％以上含まれる繊維を除いた繊維が選択される。例えば、ポリエステル、ポリアミド、ポリアクリロニトリル、塩化ビニリデン、ビニロン等の合成繊維や再生繊維、絹、ウール、木綿といった天然繊維のいずれでもよい。
【００３１】
また、編地Ａや編地Ｂの柄（組織）は、食物や髪の毛が中に入り難くする為に、開口部分Ａｐを少なくしたものが好ましいが、チェーン、デンビ、リブ、ドットなどの柄を選ぶものではない。また、表側の編地Ａの凹凸での汚れ落ち性能を維持しつつ、付いた油汚れを落ちやすくする為には、編地Ａの繊維本数は１０〜２４コース／インチ、８〜２４ウエール／インチが好ましい。このような条件を満たす編地は、ダブルラッセル機で編成することが可能である。
【００３２】
編地Ａの開口部分Ａｐは、衛生面の点から、水切れ性がよく、食物や髪の毛などが中に入り難くする為に、開口部分は０．１〜３．５ｍｍ四方、すなわち略菱形の開口部分Ａｐの一辺の寸法ｄが０．１〜３．５ｍｍとすると好ましい。さらに、水切れ性を良くし、細かい食物カスを中に入り難くするために０．２〜３．０ｍｍ四方とするとさらに好ましい。また、クリーナー１で洗剤を保持し、泡立たせる為には、開口部分Ａｐを持ちながら、クリーナー１の表面側の編地Ａに繊維で被われている部分（繊維被覆面積）が多い事が望ましく、開口部分Ａｐとの面積比が繊維被覆面積“１”に対して０．１〜１．５が好ましい。さらに、連続して洗剤を保持する為には、開口部分Ａｐとの面積比が繊維被覆面積“１”に対して０．１〜１．２がさらに好ましい。開口部分Ａｐとの面積比が繊維被覆面積“１”に対して０．１より小さいと、洗剤を保持するものの泡立ちが悪くなり、１．５より大きい場合は、洗剤を保持し難くなる。
【００３３】
編地Ａや編地Ｂの表面の糸の配列は、通常同一繊度の糸を各ガイドに１本の糸条として通し配列する方法が用いられる。表面に連結糸Ｃの飛び出しを抑える為に、連結糸Ｃを抑える表面の糸の繊度は、使用する連結糸の繊度と同等以上もしくは２倍以上の繊度の糸を用いると良い。加えて、この使用する連結糸Ｃを抑える表面糸のフィラメント数は５本以上５０本以下から構成して成るマルチフィラメントが好ましく、７本以上４０本以下より構成されたマルチフィラメントの方がより好ましく、更に好ましくは、１０本以上３０本以下より構成して成るマルチフィラメントであれば、連結糸Ｃの表面への飛び出しを抑える事ができる。又、表面層を構成する筬の編成ラッピングは、抑える連結糸Ｃの編成ラッピングに対して逆方向にオーバーラッピングして編成する事が好ましい。
【００３４】
二重編地Ｄにより形成されたクリーナー１が、ガラスなどの食器への傷付き性がなく、汚れた面を軽い力で洗うためには、クリーナー１の自然状態での厚さの４０％まで圧縮した圧縮圧（硬さ）が、少なくとも４００Ｎ以上が好ましい。さらに４２０Ｎ以上がより好ましい。クリーナーの硬さは、ＪＩＳ  Ｋ  ６４００  「軟質ウレタンフォーム試験方法」で規定することができ、詳細は後述する。このようなクリーナーの硬さを発現させるためには、連結糸Ｃに適度な硬さを持たせることが好ましい。例えば、連結糸Ｃの繊維素材は、初期モジュラスが２５（ｃＮ／ｄＴ）以上あるポリエチレンテレフタレート繊維、ポリアミド、ポリプロピレン、塩化ビニリデン等合成繊維のモノフィラメントが好ましい。特に、食器洗い時に必要な適度な親水性を付与するためには、公定水分率が０．１％以上ある、ポリエチレンテレフタレート繊維もしくはポリエチレンテレフタレートを主成分とした繊維、または、ポリアミド繊維もしくはポリアミドを主成分とした繊維がさらに好ましい。さらに適度な硬さと水切れ性を兼ね備える観点から、繊度は５０〜５００デシテックスが好ましい。
【００３５】
このように二重編地Ｄの編地Ａや連結糸Ｃをコントロールすることによって、クリーナー１に適した硬さを得ることができる。
【００３６】
二重編地Ｄを二枚以上積層させて得られるクリーナー１の厚みは４〜７０ｍｍが好ましい。さらに、コップやグラスのような細長い形態の被洗浄物をさらに洗いやすくし、手になじみやすくするために、５〜６０ｍｍがより好ましく、６〜５０ｍｍがさらに好ましい。
【００３７】
編地Ｂ（裏面）を構成する繊維は、特に限定されないが、クリーナー１の泡立ち性、泡持ち性を向上させる為には、仮撚加工糸等の捲縮を有する嵩高な糸を用いる事が好ましい、この時の編組織も特に限定はしないがメッシュ組織の様な開口部分を有する編組織よりは、平坦なフラットな組織の方が泡持ち性は向上する。加えて、更に泡持ち性を向上させるには、使用する立体編地の積層する間（立体編地と立体編地の間）に布、不織布、スポンジ等を挟み製品として使用する事も望ましい。
【００３８】
クリーナー１の表裏面を構成する編組織は、特に限定されない。例えば、四角、六角等のメッシュ編地、マーキゼット編地等、複数の開口部分を有する編地とすることで、クリーナー１に軽量性及び水切れ性等を付与する。これにより、表面を平坦な組織にして肌触り及び手持ち感の向上を計ることができ、表面を起毛して肌触り及び泡立ち性を良好にする等の改良を行うことができる。また、表面に凹凸を付与して汚れの掻き取り効果を向上させる方法等が好ましく用いられる。この際、表面の編組織は、例えば２枚筬でのチェーン挿入、シングルデンンビ、ダブルデンビ、ダブルコード、クインズコードと鎖編の組み合わせ等適宜組み合わせればよい。この場合、表面層を構成する筬の内少なくとも１枚の筬は、針１本に掛かる繊度を隣り合う糸と繊度差を付ける事が好ましい。例えば、糸の通し配列を同一繊度の糸を１本通し２本通しの繰り返し、あるいは、２本目に通す糸の繊度を１本目に通す糸の繊度より太くして、１本通し２本通しの繰り返し等を行うデンビ組織であれば表面が凹凸状となり、汚れの掻き取り性が向上する。
【００３９】
また、表面に使用する素材は、特に限定されないが、クリーナー１として使用時の水切れ性を良好とする為には、２００デシテックスから７００デシテックスのマルチフィラメントを使用する方が紡績糸や嵩高仮撚加工糸を使用するよりも水切れ性は良く、このマルチフィラメントを構成するフィラメント数も１０フィラメントから４０フィラメント以内で構成された原糸を使用する事が望ましい。
【００４０】
二枚を積層させた二重編地Ｄは、連結糸Ｃが二重編地Ｄのカットした断面から出ないように、かつ、積層させた二重編地Ｄを固着一体化するため、その周縁部を加工する必要がある。好ましい形態とするために、積層させた二重編地Ｄの周縁の加工方法としては、縫製、高周波、超音波もしくは熱などによって融着することが好ましい。固着一体化とは、二重編地Ｄ同士及び編地Ａと編地Ｂを縫製もしくは融着によって密着及び固定させた状態を示し、連結糸Ｃがカットした断面から出ないような形態や二重編地Ｄ同士及び編地Ａと編地Ｂの間に細かなゴミが入り込まないような形態にすることをいう。縫製において本縫い１本針にて２〜８針／ｃｍピッチで縫製する事が好ましく、さらに端部のはがれ等が発生しないようにするためには、本縫い１本針にて３〜７針／ｃｍピッチで縫製することがさらに好ましい。さらにクリーナー１の形状を安定化させるため、クリーナー１の中央部等の積層させた編地の両端面の一部を糸等で縫製したり、熱融着したりしてもよい。なお、二重編地Ｄが単層、または３枚以上の複数枚からなる複数層を形成する場合も、同様の方法によって編地Ａの端部と編地Ｂの端部とを固着一体化させることができる。
【００４１】
また、二枚以上積層する方法としては、得られた二重編地Ｄの表側同士、裏面同士、表面と裏面の組み合わせ等適宜選定して製品化すれば良い、好ましくは得られた二重編地Ｄを裏面側で折り返し縫製して得られた製品の表裏は、二重編地Ｄの表面、すなわち編地Ａで構成されている事が好ましい。表裏面を構成する糸のどちらか一方又は両面に、練り込みタイプの抗菌糸を用いる事が好ましく、抗菌糸を用いた場合又は抗菌糸を用いない場合は得られた二重編地Ｄに抗菌加工処理を施す事も好ましい。練り込みタイプの抗菌剤は、安全性の高いものが好ましく、例えば銀化合物（酸化銀など）などが好ましく、練り込み濃度は、０．０１〜３．０ｗｔ％が好ましい。
【実施例】
【００４２】
クリーナーは、６枚筬を装備した１４ゲージ、釜感１３ｍｍのダブルラッセル編み機（ＨＤＲＳ６Ｖ−ＳＬ）を用い編成した編地を、裁断、縫製もしくは超音波熱融着することにより作製された。
【００４３】
［実施例１］
クリーナーの編地は、６枚筬を装備した１４ゲージ、釜感１３ｍｍのダブルラッセル編み機（ＨＤＲＳ６Ｖ−ＳＬ）を用い、表側の編地Ａを形成する二枚の筬（Ｌ５、Ｌ６）に抗菌剤練り込み糸のポリ塩化ビニリデンマルチフィラメント４５０ｄ／１０ｆ、裏面の編地Ｂを形成する二枚の筬（Ｌ１、Ｌ２）にポリエチレンテレフタレートマルチフィラメント３３０Ｔ／９６ｆ仮撚加工糸、連結糸Ｃを形成する二枚の筬（Ｌ３、Ｌ４）にポリエチレンテレフタレートモノフィラメント３９０Ｔ／１ｆを用い、目付け６２０ｇ／ｍ２、厚み１０ｍｍの二重編地Ｄが得られた。この連結糸Ｃは、５本のうち２本が編地Ａの面方向に相対する編目から三つはなれたコース方向に４５度の角度で斜めに連結し、連結糸同士がクロス点を形成する構造となっている。この二重編地Ｄを２０ｃｍ×１８ｃｍに裁断し、二つ折りにし、周囲を縫製して固着一体化してクリーナーを作製した。作製されたクリーナーをマイクロスコープにて観察し、ランダムに５箇所を計測した結果、開口部分は平均０．７ｍｍ四方であり、繊維被覆面積と開口部分の面積比も同様に計測した結果が繊維被覆面積“１”に対して０．２となった。
【００４４】
（編組織と糸配列）
Ｌ１：１０１１／２３２２／１０１１／２３３３／４５４４／３２３３／４５４４／２３２２／  糸配列は、２本引き揃えて１つのガイドに入れ、その後の３つのガイドには糸を入れない。つまり、ポリエチレンテレフタレートマルチフィラメント３３０Ｔ／９６ｆ仮撚加工糸を２本引き揃えて１つのガイドに入れ、その後の３つのガイドには糸を入れず、その後の１つのガイドにはポリエチレンテレフタレートマルチフィラメント３３０Ｔ／９６ｆ仮撚加工糸を２本引き揃えて入れ、その後の３つのガイドには糸を入れない、の繰り返しにて糸を配置する。
【００４５】
Ｌ２：４５４４／３２３３／４５４４／２３２２／１０１１／２３２２／１０１１／２３２２／  糸配列は、２つのガイドには糸を入れずに、その後の１つのガイドに２本引き揃えて１つのガイドに入れ、その後の１つのガイドには糸を入れない。つまり、２つのガイドには糸を入れずに、その後の１つのガイドにポリエチレンテレフタレートマルチフィラメント３３０Ｔ／９６ｆ仮撚加工糸を２本引き揃えて１つのガイドに入れ、その後の３つのガイドには糸を入れず、その後の１つのガイドにはポリエチレンテレフタレートマルチフィラメント３３０Ｔ／９６ｆ仮撚加工糸を２本引き揃えて入れ、その後の３つのガイドには糸を入れない、の繰り返しにて糸を配置する。
【００４６】
Ｌ３：３２５４／３２０１／３２５４／２３０１／２３５４／２３０１／２３５４／３２０１／  糸配列は、１本の糸を１つのガイドに入れ、その後の３つのガイドには糸を入れない。つまり、ポリエチレンテレフタレートモノフィラメント３９０Ｔ／１ｆを１本１つのガイドに入れ、その後の３つのガイドには糸を入れず、その後の１つのガイドにはポリエチレンテレフタレートモノフィラメント３９０Ｔ／１ｆを１本入れ、その後の３つのガイドには糸を入れない、の繰り返しにて糸を配置する。
【００４７】
Ｌ４：２３１０／２３４５／２３１０／３２４５／３２１０／３２４５／３２１０／２３４５／  糸配列は、２つのガイドには糸を入れずに、その後の１つのガイドに１本の糸を入れ、その後の１つのガイドには糸を入れない。つまり、２つのガイドには糸を入れずに、その後の１つのガイドにポリエチレンテレフタレートモノフィラメント３９０Ｔ／１ｆを１本１つのガイドに入れ、その後の３つのガイドには糸を入れず、その後の１つのガイドにはポリエチレンテレフタレートモノフィラメント３９０Ｔ／１ｆを１本入れ、その後の３つのガイドには糸を入れない、の繰り返しにて糸を配置する。
【００４８】
Ｌ５：０００１／１１１０／  糸配列は、２本引き揃えて１つのガイドに入れ、その後の１つのガイドには１本の糸を入れる。つまり、抗菌剤練り込み糸のポリ塩化ビニリデンマルチフィラメント４５０ｄ／１０ｆを２本引き揃えて１つのガイドに入れ、その後は抗菌剤練り込み糸のポリ塩化ビニリデンマルチフィラメント４５０ｄ／１０ｆを１本１つのガイドに入れる、この繰り返しにて糸を配置する。
【００４９】
Ｌ６：４４００／００４４／４４８８／８８４４／  糸配列は、全てのガイドに１本ずつ糸を入れる。つまり、抗菌剤練り込み糸のポリ塩化ビニリデンマルチフィラメント４５０ｄ／１０ｆを１本ずつ１つのガイドに糸を入れ配置する。
【００５０】
［実施例２］
クリーナーの編地は、ダブルラッセル編み機（ＨＤＲＳ６Ｖ−ＳＬ）１４Ｇを使用し、表側の編地Ａにポリ塩化ビニリデンモノフィラメント４５０ｄ／１０ｆ、裏側の編地Ｂにポリエチレンテレフタレートマルチフィラメント３３０Ｔ／９６ｆ、連結糸Ｃにポリエチレンテレフタレートモノフィラメント２００Ｔ／１ｆを用い、目付け６２０ｇ／ｍ２の二重編地Ｄが得られた。
【００５１】
この連結糸Ｃが、５本のうち２本が、編地Ａの面方向に相対する編目から三つ離れたコース方向に４５度の角度で斜めに連結し、連結糸Ｃ同士がクロス点を形成する構造となっている。この二重編地Ｄを２０ｃｍ×１８ｃｍに裁断し、二つ折りにし、周囲を縫製して固着一体化することにより作製した。作製されたクリーナー１の開口部分Ａｐは１．０ｍｍ四方であり、繊維被覆面積と開口部分の面積比が繊維被覆面積“１”に対して０．２５となった。
【００５２】
［実施例３］
実施例１と同様の編機、編組織、糸配列にて、表側の編地Ａを形成する二枚の筬（Ｌ５、Ｌ６）にポリエステルフィラメント３３０Ｔ／４５０ｆ（公定水分率０．４％）を用いた以外は実施例１と同様である。
【００５３】
クリーナーの編地は、ダブルラッセル編み機（ＨＤＲＳ６Ｖ−ＳＬ）１４Ｇを使用し、表側の編地Ａと裏側の編地Ｂにポリエステルマルチフィラメント１６７Ｔ／４８Ｆ、連結糸Ｃにポリアミドモノフィラメント２４０Ｔ／１Ｆを用い、目付け５５０ｇ／ｍ２の二重編地Ｄが得られた。この二重編地Ｄは、連結糸Ｃの２０％が、編地Ａの面方向に相対する編目から離れた隣のウエール列の編目を互いに逆方向に斜めに連結した構造となっている。作製されたクリーナー１の開口部分は２．０ｍｍ四方であり、繊維被覆面積と開口部分の面積比が繊維被覆面積“１”に対して０．５となった。
【００５４】
［比較例１］
クリーナーは、ウレタン発砲体をポリエステル製の編地で被覆してある１５ｃｍ×８ｃｍ、厚み２．５ｃｍのスポンジ（市販品）である。
【００５５】
［比較例２］
クリーナーは、ウレタン発砲体とナイロン不織布とが貼りあわせてあるスポンジ（市販品）である。
【００５６】
［比較例３］
１８ゲージの二列の針列を有するダブルラッセル機を使用して、表裏二層のメッシュ編地を形成する繊維に３６０ｄ／３ｆのポリ塩化ビニリデン繊維を使用し、連結糸に２００Ｔ／１ｆのポリトリメチレンテレフタレート繊維を使用して、目付け３７０ｇ／ｍ２の編地が得られた。この編地を２０ｃｍ×１５ｃｍに裁断し、二つ折りにし、周囲を縫製する。これによって作製されたクリーナーの厚さは８ｍｍ、開口部分は４ｍｍ四方、繊維被覆面積と開口部分の面積比が繊維被覆面積“１”に対して１．７となった。
【００５７】
［比較例４］
実施例１と同様の編機、編組織、糸配列にて、連結糸Ｃにポリトリメチレンテレフタレート２００Ｔ／１ｆを用いた以外は、実施例１と同様である。作製されたクリーナーをマイクロスコープにて観察し、ランダムに５箇所を計測した結果、開口部分は平均０．７ｍｍ四方であり、繊維被覆面積と開口部分の面積比も同様に計測した結果が繊維被覆面積“１”に対して０．２であった。
【００５８】
そして、以下に説明する硬さ、水切れ、使用中のゴミの付着、使用中の汚れの掻き取り性、ガラスへの傷付き性、泡立ち性、洗剤保持性の各観点について、実施例１〜３および比較例１〜４の測定を行った。測定結果を表１に示す。
【００５９】
＜硬さ＞
ＪＩＳ  Ｋ  ６４００  軟質ウレタンフォーム試験方法：硬さＤ法に規定される。試験片は、各クリーナーそのものとし、３８０ｍｍ角に大きさ換算した。表１中の評価は以下の通りである。
◎・・・４００Ｎ以上
×・・・４００Ｎより小さい
【００６０】
表１に示されるように、比較例１〜４の硬さは４００Ｎより小さいが、実施例１〜３の硬さは４００Ｎ以上であった。
【００６１】
＜水切れ＞
水温２５±３℃の水に５分浸漬させた後、取り出し、１０ｋｇの重りで５分間絞り、２３±３℃、４０％ＲＨ環境下でつるした状態で乾燥させ、完全に乾燥するまでの時間を測定した。表１中の評価は以下の通りである。
◎・・・４時間以内に乾燥した
○・・・４〜８時間の間に乾燥した
×・・・８時間を超えて乾燥した
【００６２】
表１に示されるように、比較例３及び比較例４では、乾燥時間が４時間以内であったが、比較例１及び比較例２では、乾燥時間が８時間より長かった。これに対し、実施例１〜３では、何れも、乾燥時間が４時間以内と、比較的短い時間で乾燥することが分かった。
【００６３】
＜使用中のゴミの付着＞
３０代の男女１０人にクリーナーとして1ヶ月間使用してもらい、ご飯粒等ゴミの付着があるかどうかを目視で確認した。１０人の結果で一番多い回答を選んだ。表１中の評価は以下の通りである。表１中の評価は以下の通りである。
◎・・・ゴミの付着は、ほとんど確認されなかった
○・・・ゴミの付着が確認されたが、微量であった
×・・・ゴミの付着が確認された
【００６４】
表１に示されるように、比較例１及び比較例４では、ゴミの付着がほとんど確認されなかったが、比較例２では、微量のゴミの付着が確認され、比較例３は、ゴミの付着が確認された。これに対し、実施例１〜３では、何れも、ゴミの付着がほとんど確認されなかった。
【００６５】
＜使用中の汚れの掻き取り性＞
ガラス板にご飯粒２ｇとサラダオイル０．２ｇを約４ｃｍ２に２００℃２０分で均一に固めたものを水温２０±３℃の水で濡らしたクリーナーで１ｋｇの荷重で掻き落した回数を確認した。表１中の評価は以下の通りである。
◎・・・汚れは、３回以下で掻き取れた
○・・・汚れは、４回から６回で掻き取れた
×・・・汚れは、６回では掻き取れなかった
【００６６】
表１に示されるように、比較例２及び比較例３では、３回以下で汚れを掻き取ることができたが、比較例１及び比較例４では、６回でも汚れを掻き取ることができなかった。これに対し、実施例１〜３では、何れも、３回以下で汚れを掻き取ることができた。
【００６７】
＜ガラスへの傷付き性＞
荷重を５００ｇかけたクリーナーをガラス板に置き、水平に１５ｃｍを５回往復させた。表１中の評価は以下の通りである。
◎・・・目視で傷は確認できない
×・・・目視で傷が確認できた
【００６８】
表１に示されるように、比較例１、比較例３及び比較例４では、目視で傷が確認することができなかったが、比較例２では、目視で傷が確認された。これに対し、実施例１〜３では、何れも、目視で傷を確認することができなかった。
【００６９】
＜泡立ち性＞
３０代の男女１０人に市販の中性洗剤を１ｃｃ濡らしたクリーナーに滴下し、片手で１０回揉んでもらい、泡立ちの高さを計測した。１０人の平均値で評価した。表１中の評価は以下の通りである。
◎・・・泡立ちが、クリーナー上で高さ３ｍｍ以上の泡の高さにて観察された
○・・・泡立ちが、クリーナー上に高さ１〜３ｍｍの泡の高さにて観察された
×・・・泡立ちが、クリーナー上に高さ１ｍｍより低い泡の高さにて観察された
【００７０】
表１に示されるように、比較例１、比較例２及び比較例４では、クリーナー上で泡の高さが３ｍｍ以上の泡立ちを観察することができたが、比較例３では、クリーナー上で泡の高さが１ｍｍより低い泡立ちしか観察されなかった。これに対して、実施例１〜３では、何れも、クリーナー上で泡の高さが３ｍｍ以上の泡立ちを観察することができた。
【００７１】
＜洗剤保持性＞
市販の中性洗剤を１ｃｃ濡らしたクリーナーに滴下し、サラダオイル２ｃｃで汚した直径約１５ｃｍの平皿を連続にて洗った枚数を数えた。３０代の男女１０人にて行い、平均枚数で評価した。表１中の評価は以下の通りである。
◎・・・平皿を連続８枚以上洗えた
○・・・平皿を連続４枚以上洗えた
×・・・平皿を連続4枚洗えなかった
【００７２】
表１に示されるように、比較例１、比較例２及び比較例４では、平皿を連続して８枚以上洗うことができたが、比較例３では、平皿を連続して４枚洗うことができなかった。これに対し、実施例１〜３では、何れも、平皿を連続して８枚以上洗うことができた。
【産業上の利用可能性】
【００７３】
本発明は、食器用クリーナー、浴室用クリーナー及び身体洗浄用具に関する製品として広く利用できる。
【００７４】
【表１】
2009249794.tif 000003
【図面の簡単な説明】
【００７５】
【図１】本発明の実施形態に係るクリーナーを示す斜視図である。
【図２】図１のＩＩ−ＩＩ線に沿った断面図である。
【図３】本実施形態に係る二重編地を模式的に示す斜視図である。
【図４】本実施形態に係る連結糸を拡大して示す斜視図である。
【符号の説明】
【００７６】
１…クリーナー、１ａ…端部、１０，１０ａ，１０ｂ…編目（第１の編地側）、１０ｘ，１０ｙ…基準編目、２０，２０ａ，２０ｂ…編目（第２の編地側）、Ａ…編地（第１の編地）、Ｂ…編地（第２の編地）、Ｃ…連結糸、Ｄ…二重編地（多重編地）、Ａｐ…開口部分、Ｘ…クロス点。
【図１】
2009249794.tif 000004
【図２】
2009249794.tif 000005
【図３】
2009249794.tif 000006
【図４】
2009249794.tif 000007